(57)【要約】【課題】ノート型ＰＣ（パーソナルコンピューター）に外部キーボードやその他のデバイスが接続された時に、デバイスがユーザーの意に反した設定になることなく好適な状況でデバイスを使用する環境を提供することを目的とする。【解決手段】外部デバイス装置の接続の有無のタイムスケールの変化を検知するデバイス接続検知手段１０５と、デバイスの動作の設定を行うデバイス動作設定手段１０７と、外部デバイスの接続の状態に応じたデバイスの動作を格納するデバイス動作設定格納手段１０６と、デバイスの動作を切り替えるデバイス動作切り替え手段１０８を有することで、ＰＣに接続されたデバイスを検知し、デバイスの動作を制御する。【選択図】図１
2006338471.tif 000002
【特許請求の範囲】
【請求項１】
外部デバイスの接続状況を検知するデバイス接続検知手段と、前記デバイス接続検知手段で検知した外部デバイスの接続状況ごとに本体に接続されたデバイスの動作を設定するデバイス動作設定手段と、本体に接続されたデバイスの動作設定を切り替えるデバイス動作切替手段を有し、外部デバイスの接続状況に対応して各デバイスの動作設定を切り替えることを特徴とする接続デバイス自動制御装置。
【請求項２】
デバイス接続検知手段は、外部キーボード、外部スピーカー、外部モニターの何れかまたはその組み合わせの接続状況を検知することを特徴とする請求項１記載の接続デバイス自動制御装置。
【請求項３】
外部キーボードの接続の有無に対応して切り替えられるデバイスの動作設定は、キーボードの１つの物理的なキーに割り当てられた複数の論理的なキーのどれを有効にするかを設定することを特徴とする請求項２記載の接続デバイス自動制御装置。
【請求項４】
外部スピーカーの接続の有無に対応して切り替えられるデバイスの動作設定は、スピーカーの音量及びステレオ・モノラルの変更を含むことを特徴とする請求項２記載の接続デバイス自動制御装置。
【請求項５】
外部モニターの接続の有無に対応して切り替えられるデバイスの動作設定は、モニターの解像度及びメインディスプレイ、サブディスプレイの設定を含むことを特徴とする請求項２記載の接続デバイス自動制御装置。
【請求項６】
デバイス動作設定手段で設定した内容をデバイスごとに保持するデバイス設定格納手段を有し、外部デバイスの接続状況に対応してデバイス設定格納手段に格納されたデバイスの動作設定を切り替えることを特徴とする請求項１〜５記載の接続デバイス自動制御装置。
【請求項７】
外部デバイスの接続状況を検知するデバイス接続検知手順と、前記デバイス接続検知手順で検知した外部デバイスの接続状況ごとに、本体に接続されたデバイスの動作を設定するデバイス動作設定手順と、本体に接続されたデバイスの動作設定を切り替えるデバイス動作切替手順を有し、外部デバイスの接続状況に対応して、各デバイスの動作設定を切り替えることを特徴とする接続デバイス自動制御装置のデバイス動作の切り替え手順。
【請求項８】
デバイス接続検知手順は、外部キーボード、外部スピーカー、外部
モニターの何れかまたはその組み合わせの接続状況を検知することを特徴とする請求項７記載の接続デバイス自動制御装置の接続状況の検知手順。
【請求項９】
外部キーボードの接続の有無に対応して切り替えられるデバイスの動作設定は、キーボードの１つの物理的なキーに割り当てられた複数の論理的なキーのどれを有効にするかを設定することを特徴とする請求項８記載の接続デバイス自動制御装置のデバイス動作の設定手順。
【請求項１０】
外部スピーカーの接続の有無に対応して切り替えられるデバイスの動作設定は、スピーカーの音量及びステレオ・モノラルの変更を含むことを特徴とする請求項８記載の接続デバイス自動制御装置のデバイス動作の設定手順。
【請求項１１】
外部モニターの接続の有無に対応して切り替えられるデバイスの動作設定は、モニターの解像度及びメインディスプレイ、サブディスプレイの設定を含むことを特徴とする請求項８記載の接続デバイス自動制御装置のデバイス動作の設定手順。
【請求項１２】
デバイス動作設定手順で設定した内容をデバイスごとに保持するデバイス設定格納手順を有し、外部デバイスの接続状況に対応して、デバイス設定格納手順に格納されたデバイスの動作設定を切り替えることを特徴とする請求項７〜１１記載の接続デバイス自動制御装置のデバイス動作の切り替え手順。
【発明の詳細な説明】
【技術分野】
【０００１】
本発明は外部デバイスの接続状況を利用して、その状況によって本体に接続されたデバイスの動作設定を自動で切り替えることで、操作者の利便性を向上させる技術に関するものである。
【背景技術】
【０００２】
近年、情報処理装置の軽量小型化が進むにつれ、小型軽量なノート型パソコンは屋外への持ち出しも盛んに行われるようになった。
【０００３】
一方小型軽量になると、キーボードなどのサイズが制限され、複数のキーコードや機能が１つの物理的なキーに集約され、物理的なキー自体が削除されることも珍しくない。
【０００４】
このような小型キーボードでのキー入力は、デスクトップ・パソコンなどで使用されるフルサイズ型キーボードと比較して、操作性は低下してしまう。例えば、フルサイズ型キーボードでは通称テンキーと呼ばれる計算や数値入力に適した物理的なキー群が配置されて、文字入力と数値入力が特別な操作なしに実行できるが、小型キーボードではテンキーが省略されることが多い。このため１つの物理的なキーに対して文字記キーと数値キーなど複数の論理的なキーが割り当てられている。このため小型キーボードで物理キーの押下で入力される文字コードを変更する場合は、シフトキーの同時押下や、ＮｕｍＬｏｃｋキー押下のトグル操作で入力される文字コードを変更する手法がとられていることが多い。
【特許文献１】特開２００４−２３４３２２号公報
【発明の開示】
【発明が解決しようとする課題】
【０００５】
しかしながら、ＮｕｍＬｏｃｋキーなど外部キーボードで設定した内容は、外部キーボードの接続を解除した場合でも解除されない。また外部キーボードと内部キーボードでは１つの物理キーに割り当てられた複数の論理キーが異なる。このため、ＮｕｍＬｏｃｋ機能が有効のまま、内蔵されたキーボードを使用して文字入力しようとして操作者の意思とは異なる数字コードが入力されてしまうケースが多い。
【０００６】
本発明は情報処理装置が屋内で使用されているか、屋外で使用されているかの使用状況を外部キーボードの接続状況で判断して、外部キーボードが接続されている場合は外部キーボードを使用するのに適した設定に、外部キーボードが接続されていない場合は内部キーボードを使用するのに適した設定に変更する。さらにノート型パソコンが屋内で使用されているか、屋外で使用されているかの使用状況を外部デバイスの接続状況で判断して、使用するスピーカーやモニターの動作設定も自動で変更することで、操作者の利便性を向上させた情報処理装置を提供することが目的である。
【課題を解決するための手段】
【０００７】
上記課題を解決するために本発明の情報処理装置では、外部デバイスの接続状況を検知するデバイス接続検知手段と、デバイス接続検知手段で検知した外部キーボードの接続状況ごとに、本体に接続されたデバイスの動作を設定するデバイス動作設定手段と、本体に接続されたデバイスの動作設定を切り替えるデバイス動作切替手段を有することで、外部接続デバイスの接続状況に対応してそのデバイスの動作設定を自動で切り替えることができる。
【０００８】
またデバイス動作設定手段で設定した内容をデバイスごとに保持するデバイス設定格納手段を有することで、外部キーボードの接続状況に対応してスピーカー、モニターなど屋内と屋内で使用するものが異なるデバイスの動作設定を接続状態のままでも自動で切り替えることができる。
【発明の効果】
【０００９】
本発明の情報処理装置によれば、キーボードやスピーカー、ディスプレイなど屋内と屋内で使用するデバイスが異なっていた場合でも、各デバイスの接続状況を判断して、これに対応してデバイスごとに動作設定を屋内使用か屋内使用の動作モードに自動で切り替えることで、操作者が使用状況に合わせて各デバイスの動作設定を変更する必要がなくなる。
【発明を実施するための最良の形態】
【００１０】
以下、本発明の実施の形態を、図面を参照しながら説明する。
【００１１】
（実施の形態１）
図１は本実施形態における、外部デバイスの接続状態に応じたデバイスの動作設定切り替えを示す情報処理装置の好適構成図である。
【００１２】
図１において、１０１は外部キーボード装置、１０２は外部スピーカー装置、１０３は外部ディスプレイ装置であり、１０４はそれが接続されるノートＰＣの内部の情報処理装置を示している。１０５は外部デバイス装置の接続の有無のタイムスケールの変化を検知する部であり、デバイス接続検知手段を担う。１０７はデバイスの動作の設定を行う部であり、デバイス動作設定手段を担う。１０６は外部デバイスの接続の状態に応じたデバイスの動作を格納する部であり、デバイス動作設定格納手段を担う。１０８はデバイスの動作を切り替える部であり、デバイス動作切り替え手段を担う。
【００１３】
図２は本実施形態における、外部キーボード接続の有無に応じたＮｕｍＬｏｃｋ機能の有効無効の切り替えを示す説明図である。
【００１４】
図２において２０１は外部キーボード装置２０３がノートＰＣ（パーソナルコンピューター）２０２に接続されている状態を示している。この状態ではＮｕｍＬｏｃｋ機能はあらかじめ格納された状態（ＮｕｍＬｏｃｋ有効）に設定されている。逆に２０４は外部キーボード２０６が、ノートＰＣ２０５に接続されていない状態を示している。この状態ではＮｕｍＬｏｃｋ機能はあらかじめ格納された状態（ＮｕｍＬｏｃｋ無効）に設定されている。
【００１５】
ここで、２０１から２０４へ状態遷移が生じた場合（外部キーボード装置が外された場合）その状態がデバイス接続検知手段１０５によって検知され、デバイス動作設定格納手段１０６によって格納された設定をデバイス動作設定手段１０７が読み込み、動作設定をし、デバイス動作切り替え手段１０８によってＮｕｍＬｏｃｋ無効に切り替わる。逆に、２０４ら２０１状態遷移が生じた場合（外部キーボード装置が装着された場合）は同じ処理によってＮｕｍＬｏｃｋ有効に切り替わる。
【００１６】
ここで、ＮｕｍＬｏｃｋ機能の有効無効が切り替わるのは状態遷移の場合のみであって、各状態で中での機能動作切り替えは、ユーザーの任意であることを留意されたい。また本例の状態遷移によって動作が切り替わるのは、外部キーボード装置のみでなく、その他の接続されたデバイスの動作切り替えも本実施の形態では範疇とする。
【００１７】
図３は本実施の形態における情報処理装置の処理動作のフローチャートである。以下にその説明をする。
ステップ３０１：処理動作スタート。
ステップ３０２：外部キーボード装置の接続の有無のタイムスケールでの変化の情報を得る。
ステップ３０３：外部キーボード装置の接続状況に変化がある場合はステップ３０４へ。変化のない場合はステップ３０２へ戻る。
ステップ３０４：ＰＣへ接続されているデバイスの有無の情報を得る。ここでいうデバイスとはステップ３０２で検知した外部キーボード以外の全ての、ＰＣ内外部を含む全てのデバイスの接続情報である。
ステップ３０５：あらかじめ格納されているデバイスの動作の設定を読み込む。
ステップ３０６：ステップ３０５で読み込んだ情報に該当するデバイスが接続されている場合はステップ３０７へ。接続されていない場合は３０２へ戻る。
ステップ３０７：再び格納されているデバイスの動作の設定を読み込む。
ステップ３０８：３０７で読み込んだ情報で設定されている通りにデバイスの動作を切り替える。その後、ステップ３０２に戻る。
【００１８】
（実施の形態２）
図４は本発明の第２の実施の形態における外部スピーカー接続の有無によるＰＣ内蔵及び外部接続スピーカーの音量切り替えを示す説明図である。
【００１９】
なお、本形態における情報処理装置の構成は実施の形態１と同等であるとする。
【００２０】
図４において４０１は外部スピーカー装置４０３がノートＰＣ４０２に接続されている状態を示している。この状態では音量設定はあらかじめ格納された状態（適度な音量）に設定されている。逆に４０４は外部スピーカー装置４０６がノートＰＣ４０５に接続されていない状態を示している。この状態では音量設定はあらかじめ格納された状態（音量最大値）に設定されている。
【００２１】
ここで、４０１から４０４へ状態遷移が生じた場合（外部スピーカー装置が外された場合）その状態がデバイス接続検知手段１０５によって検知され、デバイス動作設定格納手段１０６によって格納された設定をデバイス動作設定手段１０７が読み込み、動作設定をし、デバイス動作切り替え手段１０８によって音量が最大値に切り替わる。逆に、４０４ら４０１状態遷移が生じた場合（外部スピーカー装置が装着された場合）は同じ処理によって音量が適量に切り替わる。ここで、音量の設定が切り替わるのは、状態遷移の場合のみであって、各状態で中での音量設定の切り替えは、ユーザーの任意であることを留意されたい。また本例の状態遷移によって動作が切り替わるのは、外部スピーカー装置のみでなく、その他の接続されたデバイスの動作切り替えも本実施の形態では範疇とする。
【００２２】
（実施の形態３）
図５は本発明の第３の実施の形態における、外部ディスプレイ接続の有無によるＰＣ内蔵及び外部接続ディスプレイの動作切り替えを示す説明図である。
【００２３】
なお、本形態における情報処理装置の構成は実施の形態１と同等であるとする。
【００２４】
図５において、５０１は外部ディスプレイ装置５０２がノートＰＣ５０３に接続されている状態を示している。この状態ではディスプレイ設定はあらかじめ格納された状態（外部ディスプレイが第１ディスプレイ、ＰＣディスプレイが第２ディスプレイ、各々のディスプレイに合わせた解像度）に設定されている。逆に５０４は外部ディスプレイ装置５０６がノートＰＣ５０６に接続されていない状態を示している。この状態ではディスプレイ設定はあらかじめ格納された状態（ＰＣディスプレイが第１ディスプレイ）に設定されている。
【００２５】
ここで、５０１から５０４へ状態遷移が生じた場合（外部ディスプレイ装置が外された場合）その状態がデバイス接続検知手段１０５によって検知され、デバイス動作設定格納手段１０６によって格納された設定をデバイス動作設定手段１０７が読み込み、動作設定をし、デバイス動作切り替え手段１０８によってＰＣディスプレイが第１ディスプレイに切り替わり、解像度を的確な設定に切り替える。逆に、５０４ら５０１状態遷移が生じた場合（外部ディスプレイ装置が装着された場合）は同じ処理によって外部ディスプレイが第１ディスプレイ、ＰＣディスプレイが第２ディスプレイに切り替わり、各々の解像度を的確な設定に切り替える。
【００２６】
ここで、ディスプレイの設定が切り替わるのは、状態遷移の場合のみであって、各状態で中でのディスプレイの設定の切り替えは、ユーザーの任意であることを留意されたい。また本例の状態遷移によって動作が切り替わるのは、外部ディスプレイ装置のみでなく、その他の接続されたデバイスの動作切り替えも本実施の形態では範疇とする。
【産業上の利用可能性】
【００２７】
本発明の情報処理装置によれば、キーボードやスピーカー、ディスプレイなど屋内と屋内で使用するデバイスが異なっていた場合でも、各デバイスの接続状況を判断して、これに対応してデバイスごとに動作設定を屋内使用か屋内使用の動作モードに自動で切り替えることで、操作者が使用状況に合わせて各デバイスの動作設定を変更する必要がなくなり、デバイスの動作設定の切り替え手段として有用である。
【図面の簡単な説明】
【００２８】
【図１】外部デバイスの接続状態に応じたデバイスの動作設定切り替えを示す情報処理装置の好適構成図
【図２】外部キーボード接続の有無に応じたＮｕｍＬｏｃｋ機能の有効無効の切り替えを示す説明図
【図３】第一の実施の形態における情報処理装置の処理動作のフローチャート
【図４】外部スピーカーの接続の有無によるＰＣ内蔵及び外部接続スピーカーの音量切り替えを示す説明図
【図５】外部デバイスの接続の有無によるＰＣ内蔵及び外部接続ディスプレイの動作切り替えを示す説明図
【符号の説明】
【００２９】
１０１、２０３、２０６  外部キーボード装置
１０２、４０３、４０５  外部スピーカー装置
１０３、５０２、５０５  外部ディスプレイ装置
１０４  情報処理装置
１０５  デバイス接続検知手段
１０６  デバイス動作設定格納手段
１０７  デバイス動作設定手段
１０８  デバイス動作切り替え手段
２０１  外部キーボード装置２０３がノートＰＣ２０２に接続されている状態
２０２、２０５、４０２、４０３、５０３、５０６  ノートＰＣ
２０４  外部キーボード２０６がノートＰＣ２０５に接続されていない状態
４０１  外部スピーカー装置４０３がノートＰＣ４０２に接続されている状態
４０４  外部スピーカー装置４０５がノートＰＣ４０３に接続されていない状態
５０１  外部ディスプレイ装置５０２がノートＰＣ５０３に接続されている状態
５０４  外部ディスプレイ装置５０５がノートＰＣ５０６に接続されていない状態
【図１】
2006338471.tif 000003
【図２】
2006338471.tif 000004
【図３】
2006338471.tif 000005
【図４】
2006338471.tif 000006
【図５】
2006338471.tif 000007